【手続補正書】
【提出日】平成26年6月2日(2014.6.2)
【手続補正１】
【補正対象書類名】明細書
【補正対象項目名】発明の名称
【補正方法】変更
【補正の内容】
【発明の名称】データ処理装置、方法及びプログラム
【手続補正２】
【補正対象書類名】明細書
【補正対象項目名】０００１
【補正方法】変更
【補正の内容】
【０００１】
本発明は、画像処理に用いられるデータ処理装置、方法及びプログラムに関する。
【手続補正３】
【補正対象書類名】明細書
【補正対象項目名】０００７
【補正方法】変更
【補正の内容】
【０００７】
本発明に係るデータ処理装置は、異なる複数色のインクを吐出するための複数のノズルが所定方向に並び、前記複数色のインクにそれぞれ対応した複数のノズル列が前記所定方向と交差する方向に配列し、前記複数のノズル列から記録媒体上に前記複数色のインクを吐出することにより記録される画像のデータを処理するためのデータ処理装置であって、Ｒ，Ｇ，Ｂの色要素の信号から構成され、画像の色を示す画像データの入力値に応じて出力値の複数の成分の値を定める補正パラメータを決定するための補正パラメータ決定用画像の測定結果を取得する取得手段と、前記測定結果に基づいて、記録媒体上の第１の領域に記録を行うためのノズル群であって前記複数のノズル列のそれぞれ一部のノズルを含む第１のノズル群に対応する補正パラメータと、記録媒体上の前記第１の領域とは異なる第２の領域に記録を行うためのノズル群であって前記複数のノズル列のそれぞれ一部のノズルを含む第２のノズル群に対応する補正パラメータと、をそれぞれ決定する前記補正パラメータを決定する決定手段と、を備え、前記補正パラメータ決定用画像は、Ｒ，Ｇ，Ｂの３軸で構成される色空間上において前記３軸それぞれの一部分を１辺とする立方体の、各辺上に位置する格子点のＲ，Ｇ，Ｂ値に対応する色の画像を含み、且つ、前記立方体の表面上及び各辺上のいずれにも含まれない前記立方体の内部の格子点のうち少なくとも一部の格子点のＲ，Ｇ，Ｂ値に対応する色の画像を含まないことを特徴とする。
【手続補正４】
【補正対象書類名】特許請求の範囲
【補正対象項目名】全文
【補正方法】変更
【補正の内容】
【特許請求の範囲】
【請求項１】
異なる複数色のインクを吐出するための複数のノズルが所定方向に並び、前記複数色のインクにそれぞれ対応した複数のノズル列が前記所定方向と交差する方向に配列し、前記複数のノズル列から記録媒体上に前記複数色のインクを吐出することにより記録される画像のデータを処理するためのデータ処理装置であって、
Ｒ，Ｇ，Ｂの色要素の信号から構成され、画像の色を示す画像データの入力値に応じて出力値の複数の成分の値を定める補正パラメータを決定するための補正パラメータ決定用画像の測定結果を取得する取得手段と、
前記測定結果に基づいて、記録媒体上の第１の領域に記録を行うためのノズル群であって前記複数のノズル列のそれぞれ一部のノズルを含む第１のノズル群に対応する補正パラメータと、記録媒体上の前記第１の領域とは異なる第２の領域に記録を行うためのノズル群であって前記複数のノズル列のそれぞれ一部のノズルを含む第２のノズル群に対応する補正パラメータと、をそれぞれ決定する前記補正パラメータを決定する決定手段と、
を備え、
前記補正パラメータ決定用画像は、Ｒ，Ｇ，Ｂの３軸で構成される色空間上において前記３軸それぞれの一部分を１辺とする立方体の、各辺上に位置する格子点のＲ，Ｇ，Ｂ値に対応する色の画像を含み、且つ、前記立方体の表面上及び各辺上のいずれにも含まれない前記立方体の内部の格子点のうち少なくとも一部の格子点のＲ，Ｇ，Ｂ値に対応する色の画像を含まないことを特徴とするデータ処理装置。
【請求項２】
前記決定手段は、前記補正パラメータ決定用画像に含まれない、前記立方体の内部の格子点のうちの少なくとも一部の格子点のＲ，Ｇ，Ｂ値を入力値とした場合の出力値を補間演算により得ることを特徴とする請求項１に記載のデータ処理装置。
【請求項３】
前記立方体の各頂点に対応する入力値は、Ｒ，Ｇ，Ｂ値のそれぞれが最大値もしくは最小値であることを特徴とする請求項１または２に記載のデータ処理装置。
【請求項４】
前記立方体の各頂点に対応する入力値のＲ，Ｇ，Ｂ値は、それぞれ最大値が２５５であり且つ最小値が０であることを特徴とする請求項３に記載のデータ処理装置。
【請求項５】
前記補正パラメータ決定用画像は、Ｒ，Ｇ，Ｂ値それぞれが等しい値である複数の入力値に対応する色の画像を含むことを特徴とする請求項１から４のいずれか１項に記載のデータ処理装置。
【請求項６】
前記補正パラメータ決定用画像は、前記立方体の表面上に含まれ且つ前記立方体の各辺上に含まれない格子点のＲ，Ｇ，Ｂ値に対応する色の画像を含むことを特徴とする請求項１から５のいずれか１項に記載のデータ処理装置。
【請求項７】
前記補正パラメータ決定用画像は、前記第１のノズル群を用いて記録された第１の画像と前記第２のノズル群を用いて記録された第２の画像とを含むことを特徴とする請求項１から６のいずれか１項に記載のデータ処理装置。
【請求項８】
前記取得手段は、前記第１の画像を測定した測定結果と、前記第２の画像を測定した測定結果と、を取得し、
前記決定手段は、前記第１の画像を測定した測定結果に基づいて前記第１のノズル群に対応する補正パラメータを決定し、前記第２の画像を測定した測定結果に基づいて前記第２のノズル群に対応する補正パラメータを決定することを特徴とする請求項７に記載のデータ処理装置。
【請求項９】
前記複数のノズル列を用いて前記補正パラメータ決定用画像を記録させる記録制御手段をさらに備えることを特徴とする請求項１から８のいずれか１項に記載のデータ処理装置。
【請求項１０】
前記補正パラメータ決定用画像を測定する測定手段をさらに備えることを特徴とする請求項１から９のいずれか１項に記載のデータ処理装置。
【請求項１１】
前記画像は、前記所定方向と交差する方向に前記記録媒体を搬送することにより、前記複数のノズル列と前記記録媒体との１回の搬送において記録されることを特徴とする請求項１から１０のいずれか１項に記載のデータ処理装置。
【請求項１２】
異なる複数色のインクを吐出するための複数のノズルが所定方向に並び、前記複数色のインクにそれぞれ対応した複数のノズル列が前記所定方向と交差する方向に配列し、前記複数のノズル列から記録媒体上に前記複数色のインクを吐出することにより記録される画像のデータを処理するための方法であって、
Ｒ，Ｇ，Ｂの色要素の信号から構成され、画像の色を示す画像データの入力値に応じて出力値の複数の成分の値を定める補正パラメータを決定するための補正パラメータ決定用画像の測定結果を取得する取得工程と、
前記測定結果に基づいて、記録媒体上の第１の領域に記録を行うためのノズル群であって前記複数のノズル列のそれぞれ一部のノズルを含む第１のノズル群に対応する補正パラメータと、記録媒体上の前記第１の領域とは異なる第２の領域に記録を行うためのノズル群であって前記複数のノズル列のそれぞれ一部のノズルを含む第２のノズル群に対応する補正パラメータと、をそれぞれ決定する前記補正パラメータを決定する決定工程と、
を備え、
前記補正パラメータ決定用画像は、Ｒ，Ｇ，Ｂの３軸で構成される色空間上において前記３軸それぞれの一部分を１辺とする立方体の、各辺上に位置する格子点のＲ，Ｇ，Ｂ値に対応する色の画像を含み、且つ、前記立方体の表面上及び各辺上のいずれにも含まれない前記立方体の内部の格子点のうち少なくとも一部の格子点のＲ，Ｇ，Ｂ値に対応する色の画像を含まないことを特徴とする方法。
【請求項１３】
コンピュータに、請求項１２に記載の方法を実行させるためのプログラム。